(57)【要約】【課題】原稿押えカバーの押え面及び外部光の影響を適度に排除して、原稿サイズの検出をより正確に行えるようにすること。【解決手段】載置原稿読取可能領域３６Ａの読取幅Ｗ１は、搬送原稿読取可能領域３５Ａの読取幅Ｗ２よりも小さい。載置原稿読取可能領域３６Ａにおける原稿セット基準位置３７が回動軸３４Ａ側の位置に設定されている。載置原稿読取可能領域３６Ａのうちの回動軸３４Ａ側の部分３６Ａｅと、前記搬送原稿読取可能領域３５Ａのうちの回動軸３４Ａ側の部分３５Ａｅとが、回動軸３４Ａからその軸方向と略直交する方向において略等距離の位置に配設されている。【選択図】図１
2008040200.tif 000002
【特許請求の範囲】
【請求項１】
搬送される原稿を読取り可能な搬送原稿読取可能領域を有する搬送原稿読取部と、
載置される原稿を、前記搬送原稿読取可能領域の読取幅よりも小さい読取幅で読取り可能な載置原稿読取可能領域を有する載置原稿読取部と、
前記載置原稿読取部の一側で回動軸を中心にして支持され、前記載置原稿読取部を開閉自在に覆う原稿押えカバー部と、
前記原稿押えカバー部が閉じられる途中で前記載置原稿読取部上に載置された原稿のサイズを検知する原稿サイズ検知部と、
を備え、
前記載置原稿読取可能領域における原稿セット基準位置が前記回動軸側の位置に設定されると共に、
前記載置原稿読取可能領域のうちの前記回動軸側の部分と、前記搬送原稿読取可能領域のうちの前記回動軸側の部分とが、前記回動軸から前記回動軸の軸方向と略直交する方向において略等距離の位置に配設されていることを特徴とする、画像読取装置。
【請求項２】
請求項１記載の画像読取装置であって、
前記載置原稿読取部に代えて、
載置される原稿を、前記搬送原稿読取可能領域の読取幅と略同じ読取幅で読取り可能な略等幅載置原稿読取可能領域を有する別の略等幅載置原稿読取部であって、原稿セット基準位置が前記略等幅載置原稿読取可能領域のうちの前記回動軸側の位置に設定されると共に、前記略等幅載置原稿読取可能領域のうちの前記回動軸側の部分が、前記搬送原稿読取可能領域のうちの前記回動軸側の部分と、前記回動軸から前記回動軸の軸方向と略直交する方向において略等距離の位置に揃えて配設されたもの、を設置可能なことを特徴とする画像読取装置。
【発明の詳細な説明】
【技術分野】
【０００１】
この発明は、フラットベッド方式及びシートフィード方式の双方で画像読取可能な画像読取装置に関する。
【背景技術】
【０００２】
画像読取装置として、プラテンガラスの側方にコンタクトガラスを配設したものがある。プラテンガラスは、フラットベッド方式にて画像を読取る際に原稿を載置するための透明板状部材である。コンタクトガラスは、シートフィード方式にて画像を読取る際に、搬送される原稿に接触可能に配設された透明長尺状部材である。
【０００３】
上記のような画像読取装置では、フラットベッド方式にて画像を読取るにあたって、事前に原稿サイズの検出を行っている。一般的な画像読取装置では、プラテンカバー上に原稿を載置した後、原稿押えカバー部を閉じる途中で、プラテンガラス上の原稿に向けて光を照射しその反射光に基づいて原稿サイズの検出を行っている。
【０００４】
本願発明に関連する先行技術としては、例えば特許文献１〜３に記載のものがある。
【０００５】
【特許文献１】特開平９−３０７６９５公報
【特許文献２】特開２００３−２１９１２０号公報
【特許文献３】特開２００６−６５２８９号公報
【発明の開示】
【発明が解決しようとする課題】
【０００６】
ところで、上記のような原稿押えカバー部の押え面は白色であり、原稿と略同色であることが一般的である。このため、プラテンガラス上に載置された原稿とその周囲との境界が原稿押えカバー部の回動軸に近い位置にあると、原稿押えカバー部を閉じる途中の早期段階で、原稿とその周囲との区別が困難となり、原稿サイズの検出が不正確になる恐れがある。
【０００７】
一方、プラテンガラス上に載置された原稿とその周囲との境界が原稿押えカバー部の回動軸から遠く離れた位置にあると、原稿サイズの検出を行う際に、外部光の影響を受け易く、原稿サイズの検出が不正確になる恐れがある。
【０００８】
そこで、本発明は、原稿押えカバー部の押え面及び外部光の影響を適度に排除して、原稿サイズの検出をより正確に行えるようにすることを目的とする。
【課題を解決するための手段】
【０００９】
上記課題を解決するため、この発明は、搬送される原稿を読取り可能な搬送原稿読取可能領域を有する搬送原稿読取部と、載置される原稿を、前記搬送原稿読取可能領域の読取幅よりも小さい読取幅で読取り可能な載置原稿読取可能領域を有する載置原稿読取部と、前記載置原稿読取部の一側で回動軸を中心にして支持され、前記載置原稿読取部を開閉自在に覆う原稿押えカバー部と、前記原稿押えカバー部が閉じられる途中で前記載置原稿読取部上に載置された原稿のサイズを検知する原稿サイズ検知部と、を備え、前記載置原稿読取可能領域における原稿セット基準位置が前記回動軸側の位置に設定されると共に、前記載置原稿読取可能領域のうちの前記回動軸側の部分と、前記搬送原稿読取可能領域のうちの前記回動軸側の部分とが、前記回動軸から前記回動軸の軸方向と略直交する方向において略等距離の位置に配設されているものであることを特徴とする。
【００１０】
この場合に、前記載置原稿読取部に代えて、載置される原稿を、前記搬送原稿読取可能領域の読取幅と略同じ読取幅で読取り可能な略等幅載置原稿読取可能領域を有する別の略等幅載置原稿読取部であって、原稿セット基準位置が前記略等幅載置原稿読取可能領域のうちの前記回動軸側の位置に設定されると共に、前記略等幅載置原稿読取可能領域のうちの前記回動軸側の部分が、前記搬送原稿読取可能領域のうちの前記回動軸側の部分と、前記回動軸から前記回動軸の軸方向と略直交する方向において略等距離の位置に揃えて配設されたもの、を設置可能としてもよい。
【発明の効果】
【００１１】
以上のように構成された発明によると、前記載置原稿読取可能領域における原稿セット基準位置が前記回動軸側の位置に設定されているため、通常、原稿とその周囲（つまり、原稿の載置されていない載置原稿読取領域）との境界は、回動軸から比較的遠い位置に配設されることになる。このため、原稿押えカバー部を閉じる途中状態で、原稿押えカバー部の押え面と原稿とをなるべく離間させることができる。従って、原稿押えカバー部の押え面の影響をなるべく排除した状態で、原稿サイズの検出を行える。
【００１２】
しかも、前記載置原稿読取可能領域のうちの前記回動軸側の部分と、前記搬送原稿読取可能領域のうちの前記回動軸側の部分とが、前記回動軸から前記回動軸の軸方向と略直交する方向において略等距離の位置に配設されているため、載置原稿読取可能領域全体をなるべく回動軸に近い奥側に配設することができる。このため、原稿とその周囲との境界が回動軸から遠く離れた位置に配設されることが防止される。従って、外部光の大きな影響も排除することができる。
【００１３】
これらにより、原稿押えカバー部の押え面及び外部光の影響を適度に排除して、原稿サイズの検出をより正確に行える。
【００１４】
また、前記載置原稿読取部に代えて、載置される原稿を、前記搬送原稿読取可能領域の読取幅と略同じ読取幅で読取り可能な略等幅載置原稿読取可能領域を有する別の略等幅載置原稿読取部であって、原稿セット基準位置が前記略等幅載置原稿読取可能領域のうちの前記回動軸側の位置に設定されると共に、前記略等幅載置原稿読取可能領域のうちの前記回動軸側の部分が、前記搬送原稿読取可能領域のうちの前記回動軸側の部分と、前記回動軸から前記回動軸の軸方向と略直交する方向において略等距離の位置に揃えて配設されたもの、を設置可能にした構成においては、そのような略等幅載置原稿読取部を設置した場合においても、原稿セット基準位置は回動軸から前記回動軸の軸方向と略直交する方向において略等距離の位置に配設されることになる。このため、原稿サイズ検知部等に関しては略同様構成で原稿サイズの検知を行えることになり、汎用性に優れる。
【発明を実施するための最良の形態】
【００１５】
以下、実施形態に係る画像読取装置について説明する。本実施形態では、画像読取装置をデジタル複合機に適用した例で説明する。
【００１６】
＜１．デジタル複合機の全体構成＞
まず、このデジタル複合機の全体構成について説明する。図１は実施形態に係るデジタル複合機の全体構成を示す斜視図である。なお、各図には、説明の便宜上、上下方向、前後方向、および左右方向を示す座標軸を付している。
【００１７】
このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００１８】
より具体的には、このデジタル複合機１０では、画像形成機能を担う記録部２０の上方に、画像読取機能を担う読取部３０が配設されている。
【００１９】
記録部２０は、画像形成、即ち、用紙に所定の印刷処理を施して記録紙を形成するように構成されている。より具体的には、記録部２０は、少なくとも１つの給紙カセット２２の上方に、記録装置としての印刷部２４が配設された構成となっている。そして、給紙カセット２２に収容される用紙を印刷部２４へ給紙して印刷した後に、記録紙として外部等へ排出する構成となっている。
【００２０】
読取部３０は、画像読取、即ち、原稿の情報を画像データとして読取るように構成されている。ここでは、読取部３０は、フラットベッド方式（ＦＢＳ）のスキャナとして原稿を読取ると共に、シードフィード方式のスキャナとして原稿を読取可能に構成されている。
【００２１】
ここで、フラットベッド方式のスキャナとは、原稿を静止させた状態で読取装置３８を走査することで該原稿を読取る構成である。また、シートフィード方式のスキャナとは、読取装置３８を一定位置に配設した状態で原稿を搬送することで該原稿の読取りを行う構成である。
【００２２】
より具体的には、読取部３０は、記録部２０の上方に設けられた画像読取本体部３２の上方に、原稿押えカバー部４０が設けられた構成とされている。
【００２３】
画像読取本体部３２は、平面視略方形状の筐体部３３の上方に本体カバー部３４が取付けられた構成とされており、これらの内部に後述するように画像を読取るための各種要素を収容するための内部空間が形成されている。
【００２４】
本体カバー部３４の上面には、コンタクトガラス取付開口部３４ａ及びプラテンガラス取付開口部３４ｂが形成されており、それぞれにコンタクトガラス３５及びプラテンガラス３６が取付けられる。
【００２５】
プラテンガラス３６は載置される原稿を広げて載置可能な十分な広がりを持つ略方形板状の透明部材により形成されている。コンタクトガラス３５は、搬送される原稿の幅に応じた長さ寸法を有する略長方形状の透明部材により形成されており、プラテンガラス３６の一側縁部側方（ここでは左側縁部側方）に設けられている。これらのコンタクトガラス３５及びプラテンガラス３６の大きさ、形状、配置関係等については後により詳細に述べる。
【００２６】
また、画像読取本体部３２の内部空間には、主として読取装置３８及び受光部３９とが設けられている。
【００２７】
読取装置３８は、載置される原稿又は搬送される原稿にランプ光を照射してその反射光を受光部３９に向けて導いてそこで結像させて読取らせるように構成されている。ここでは、読取装置３８は、原稿を照明する光源や原稿からの光を反射するミラー（共に図示省略）等を有しており、上記コンタクトガラス３５及びプラテンガラス３６の下方を図示省略の移動手段の駆動力を受けて読取可能な条件を保ちながら往復移動自在に配設されている。
【００２８】
また、受光部３９は、原稿からの反射光３９Ｌを、上記読取装置３８等を介して、内蔵されたＣＣＤ（ラインセンサ）上にレンズで結像可能に構成されている。これにより、原稿からの反射光を光電変換によって電気信号に変換するようになっている。
【００２９】
なお、読取装置３８及び受光部３９を用いた画像の読取り中心は、読取装置３８の長さ方向中心、即ち、コンタクトガラス３５の中心と略一致するように設定されている。
【００３０】
なお、原稿からの反射光３９Ｌは、読取装置３８から受光部３９へ他の反射手段を経由して進行してもよい。
【００３１】
そして、シートフィード方式にて原稿読取りを行う場合には、読取装置３８をコンタクトガラス３５の下方で静止させた状態で、自動原稿搬送装置４５により原稿をコンタクトガラス３５に接触させるように搬送することで、該原稿が読取られるようになっている。
【００３２】
また、フラットベッド方式にて原稿読取りを行う場合には、プラテンガラス３６上に原稿を載置して、該原稿を押え付けるように原稿押えカバー部４０を閉じた状態で、プラテンガラス３６の下方で読取装置３８を走査させることで、該原稿が読取られるようになっている。
【００３３】
原稿押えカバー部４０は、原稿押え部４０ａと自動原稿搬送装置４５とを有している。この原稿押えカバー部４０は、画像読取本体部３２の一側、換言すれば、プラテンガラス３６の一側で所定の回動軸３４Ａを中心にして回転自在に支持されており、上記プラテンガラス３６及びコンタクトガラス３５を開閉自在に覆っている。
【００３４】
より具体的には、原稿押えカバー部４０は、画像読取本体部３２の上部の一側部分（ここでは後側部分）に、ヒンジ３１を介して開閉自在に連結されている。そして、原稿押えカバー部４０を開いた状態で、プラテンガラス３６上に原稿を載置又は除去でき、原稿押えカバー部４０を閉じた状態で、プラテンガラス３６上の原稿を該プラテンガラス３６と原稿押え部４０ａとの間で挟込むようにして定位置で保持するようになっている。この原稿押え部４０ａの押え面は、原稿と略同色、通常は白色とされている。
【００３５】
また、自動原稿搬送装置４５は、原稿押え部４０ａの一側上部（ここでは左側上部）であってコンタクトガラス３５の真上に配設される位置に設けられている。自動原稿搬送装置４５は、トレイに載置された原稿を順次コンタクトガラス３５に摺接するように搬送する。
【００３６】
また、上記読取部３０の一側方（前方）には、操作パネル５０が設けられている。操作パネル５０には、本デジタル複合機１０に対する諸操作を行うための各種スイッチ７２及びタッチパネル７４が設けられている。タッチパネル７４は、本デジタル複合機１０の動作状況、操作内容等を表示する表示手段としても機能する。
【００３７】
＜２．コンタクトガラス及びプラテンガラス部分の構成の詳細＞
上記コンタクトガラス３５及びプラテンガラス３６に係る構成についてより詳細に説明する。図２はデジタル複合機を示す平面図であり、図３はデジタル複合機を示す側面図である。
【００３８】
図１〜図３に示すように、コンタクトガラス３５は、プラテンガラス３６の一側縁部側方から間隔をあけた位置に該側縁部に沿った姿勢で、即ち、本体カバー部３４の上面の左側部に前後方向に沿って設けられている。そして、自動原稿搬送装置４５によって搬送される原稿がコンタクトガラス３５に摺接しつつ送られる。この際、コンタクトガラス３５の下方に静止する読取装置３８側より照射された光がコンタクトガラス３５を透過した後、該原稿で反射して再度コンタクトガラス３５を透過し、読取装置３８を経由して受光部３９で結像することで、該原稿の読取りが行われるようになっている。
【００３９】
搬送原稿読取部は、本コンタクトガラス３５及び読取装置３８を含んで構成されており、本体カバー部３４の上面のうちコンタクトガラス３５とその下方に配設された読取装置３８との重複領域が、搬送される原稿を読取り可能な搬送原稿読取可能領域３５Ａとして設定される。ここでは、コンタクトガラス３５の配設領域は搬送原稿読取可能領域３５Ａとほぼ一致している。
【００４０】
プラテンガラス３６は、本体カバー部３４の上面に略水平姿勢で設けられている。そして、読取対象となる原稿が本プラテンガラス３６上に広げた状態で載置される。この状態で、読取装置３８がプラテンガラス３６の下方を移動しつつ、該読取装置３８側より照射された光がプラテンガラス３６を透過した後、該載置原稿で反射して再度プラテンガラス３６を透過し、読取装置３８を経由して受光部３９で結像する。これにより、プラテンガラス３６上に載置された原稿の読取りが行われるようになっている。
【００４１】
載置原稿読取部は、本プラテンガラス３６及び読取装置３８を含んで構成されており、本体カバー部３４上面のうちプラテンガラス３６の存在領域と読取装置３８の可動領域との重複領域が、載置される原稿を読取り可能な載置原稿読取可能領域３６Ａとして設定される。ここでは、プラテンガラス３６の配設領域は載置原稿読取可能領域３６Ａとほぼ一致している。
【００４２】
また、上記載置原稿読取可能領域３６Ａの読取幅Ｗ１（図２参照）は、搬送原稿読取可能領域３５Ａの読取幅Ｗ２（図２参照）よりも小さく設定されている。ここで、載置原稿読取可能領域３６Ａの読取幅Ｗ１は読取装置３８の移動方向と略直交する方向における該領域寸法を意味し、搬送原稿読取可能領域３５Ａの読取幅Ｗ２とは同じく読取装置３８の移動方向と略直交する方向における該領域寸法を意味している。
【００４３】
例えば、読取装置３８としてＡ３サイズの短寸幅を読取り可能なものを用いた場合を想定して具体的に説明すると次のようになる。この場合には、コンタクトガラス３５としてもＡ３サイズの短寸幅に対応する長尺寸法（Ａ３サイズの短寸幅とほぼ同じかそれに若干の余裕寸法を付加した程度の寸法）を有するものが用いられ、搬送原稿読取可能領域３５Ａの読取幅Ｗ２もＡ３サイズの短寸幅に対応する大きさに設定される。この場合には、シートフィード方式においてＡ３サイズの原稿を読取り可能となる。
【００４４】
ところが、このような場合であっても、デジタル複合機１０の平面視における大きさの制約（特に、左右方向の大きさの制約）等から、プラテンガラス３６としてＡ３サイズの原稿を載置可能な大きさのものを用いることができないような場合がある。このような場合には、プラテンガラス３６としてＡ３サイズより一回り小さいＢ４サイズ（図２及び図３の符号Ｂ４参照）程度のものが用いられることがある。この場合には、載置原稿読取可能領域３６Ａの読取幅Ｗ１は、該プラテンガラス３６の大きさに合わせて、Ｂ４サイズの短寸幅に対応する大きさ（Ｂ４サイズの短寸幅とほぼ同じかそれに若干の余裕寸法を付加した程度の大きさ）に設定されることになる。
【００４５】
上記載置原稿読取可能領域３６Ａの読取幅Ｗ１が搬送原稿読取可能領域３５Ａの読取幅Ｗ２（図２参照）よりも小さく設定される場合としては、このような場合が想定されている。
【００４６】
また、上記載置原稿読取可能領域３６Ａのうちの回動軸３４Ａ側の部分３６Ａｅと、搬送原稿読取可能領域３５Ａのうちの回動軸３４Ａ側の部分３５Ａｅとが、回動軸３４Ａから回動軸３４Ａの軸方向と略直交する方向において略等距離の位置に配設されている。換言すれば、上記載置原稿読取可能領域３６Ａのうちの回動軸３４Ａ側の部分３６Ａｅと、搬送原稿読取可能領域３５Ａのうちの回動軸３４Ａ側の部分３５Ａｅとが、回動軸３４Ａと略平行で同一直線上に揃う位置に配設されている。
【００４７】
また、載置原稿読取可能領域３６Ａにおける原稿セット基準位置３７が載置原稿読取可能領域３６Ａのうち回動軸３４Ａ側の位置に設定されている。つまり、通常、載置された原稿のサイズ検知及び原稿読取りにあたっては、略方形状の載置原稿読取可能領域３６Ａにおける４隅のうち１つの隅を基準にして規格化された各種サイズの検知及び原稿読取りを行うことになる。原稿セット基準位置３７は、このような原稿のサイズ検知及び読取りの基準となる位置をいい、利用者は原稿の１つの隅を原稿セット基準位置３７に合わせるようにして原稿をプラテンガラス３６上に載置することを要請される。
【００４８】
ここでは、原稿セット基準位置３７は載置原稿読取可能領域３６Ａにおける回動軸３４Ａ側でかつ搬送原稿読取可能領域３５Ａ側の隅部分に設定されている。通常、このような原稿セット基準位置３７は、矢印や三角マーク等の目印３７Ｍによって指し示されている。
【００４９】
＜３．原稿サイズ検知に係る構成＞
本装置においては、シートフィード方式にて原稿を読取るにあたって、原稿押えカバー部４０を閉じようとすると、その途中でプラテンガラス３６上に載置された原稿のサイズ検知を行う。ここでは、その原稿サイズ検知に係る構成、特に、原稿サイズのうち上記読取幅Ｗ１，Ｗ２の方向におけるサイズ（以下、単に「原稿幅」という）を検知する構成について説明する。図４は原稿サイズ検知に係る構成を示すブロック図である。
【００５０】
すなわち、カバー開閉検知部６４が制御部６０に接続されると共に、読取装置３８及び受光部３９が制御部６０に接続されている。
【００５１】
カバー開閉検知部６４は、原稿押えカバー部４０が開けられたことを検知すると、読取装置３８が所定の原稿幅検知位置に移動する。そして、原稿押えカバー部４０が閉じられる途中で原稿押えカバー部４０の閉動作途中状態を検知してこれに応じた検知信号を出力するように構成されている。具体的には、カバー開閉検知部６４は、本体カバー部３４の上方に出退自在に突出する突出部及びマイクロスイッチ等を備えている。そして、原稿押えカバー部４０を閉じる途中で、原稿押えカバー部４０の下面が突出部を押込んでマイクロスイッチをオン状態にする。このオン信号に応じた検知信号が制御部６０に与えられるようになっている。
【００５２】
制御部６０は、ＣＰＵやＲＡＭ、ＲＡＭの記憶手段等によって構成されており、上記原稿幅を判定する原稿幅判定部６１としての機能を有している。すなわち、原稿幅判定部６１は、カバー開閉検知部６４からの検知信号に応じて原稿押えカバー部４０が閉じられる途中であると判別すると、読取装置３８及び受光部３９で瞬時に原稿読取動作を行うように指令を与える。これにより、上記原稿幅の方向において少なくとも１ライン分の原稿読取りが行われる。なお、この１ライン分の原稿読取りは読取り装置３８の長手方向全体で行われる。
【００５３】
なお、上記のようにサイズ判別用の原稿読取りを行った後の待機状態（フラットベッド方式にて原稿読取可能な状態でかつ原稿押えカバー部４０が閉じた状態）では、読取装置３８は、コンタクトガラス３５の下方に移動して待機している。
【００５４】
そして、原稿幅判定部６１は、受光部３９からの１ライン分の画像読取信号の強度分布等に基づいて、原稿の存在領域と原稿の被存在領域との境界を判別する。そして、載置原稿読取可能領域３６Ａの回動軸３４Ａ側の部分３６Ａｅを基準として、前記判別された境界に基づいて原稿幅を判別する。そして、制御部６０は、当該判別された原稿幅を、原稿読取りを行う際の対象領域の決定や複写を行う際の倍率決定等の諸制御に利用する。
【００５５】
これらのカバー開閉検知部６４、制御部６０、読取装置３８及び受光部３９は、原稿押えカバー部４０が閉じられる途中で載置された原稿のサイズを検知する原稿サイズ検知部としての機能を有している。
【００５６】
なお、本制御部６０は、本デジタル複合機１０の各種構成に接続されており本デジタル複合機１０の全体制御をも行う。
【００５７】
＜４．動作説明＞
本デジタル複合機１０の動作について説明する。本デジタル複合機１０では、図３に示すように、プラテンガラス３６上に原稿を載置して原稿押えカバー部４０を閉じる途中で、載置された原稿の原稿幅が判別される。
【００５８】
この際、載置原稿読取可能領域３６Ａにおける原稿セット基準位置３７が載置原稿読取可能領域３６Ａのうち回動軸３４Ａ側の位置に設定されている。多くの場合、原稿幅は載置原稿読取可能領域３６Ａの読取幅Ｗ１の半分長さ以上となる使用を想定されている。このため、原稿とその周囲との境界は、回動軸３４Ａから比較的遠い位置に配設されることになる。このため、原稿押えカバー部４０を閉じる途中で原稿サイズを検知する際に、原稿とその周囲との境界と原稿押えカバー部４０の押え面とを比較的遠い距離Ｄ１離すことができる。従って、原稿押えカバー部４０の押え面の影響をなるべく排除した状態で、原稿サイズの検出を行える。
【００５９】
ちなみに、載置原稿読取可能領域３６Ａにおける原稿セット基準位置３７が載置原稿読取可能領域３６Ａのうち回動軸３４Ａから遠い側の位置に設定されているような場合を想定する。この場合には、多くの場合、原稿とその周囲との境界は、回動軸３４Ａから比較的近い位置に配設されることになる。このため、原稿とその周囲との境界と原稿押えカバー部４０の押え面との距離Ｄ２は比較的近くなる。そして、原稿押えカバー部４０の押え面は通常原稿と同色で白い。従って、原稿とその周囲とに関して原稿押えカバー部４０を素早く閉じたような場合には画像読取信号の強度差が少なくなり、原稿サイズの検出が困難となる場合が生じる。
【００６０】
特に、このような場合と比較すると、載置原稿読取可能領域３６Ａにおける原稿セット基準位置３７が載置原稿読取可能領域３６Ａのうち回動軸３４Ａ側の位置に設定された場合に、原稿押えカバー部４０の押え面の影響をなるべく排除した状態で、原稿サイズの検出を行えるというメリットを理解できる。
【００６１】
一方、原稿とその周囲との境界とが回動軸３４Ａ側から極端に離れた位置にあり、原稿押えカバー部４０によってほとんど覆われないような位置にあると、外部光Ｌ（図３参照）が原稿とその周囲との境界に差込んでしまう。そして、このような外部光Ｌによって原稿サイズの検出が困難となる。外部光Ｌ等による外乱光によって原稿の無い領域の出力が高くなってしまい、原稿の存在領域との境界の見分けが困難となる為である。
【００６２】
そこで、本装置では、載置原稿読取可能領域３６Ａのうちの回動軸３４Ａ側の部分３６Ａｅと、前記搬送原稿読取可能領域３５Ａのうちの回動軸３４Ａ側の部分３５Ａｅとを、回動軸３４Ａから回動軸３４Ａの軸方向と略直交する方向において略等距離の位置に配設している。このため、載置原稿読取可能領域３６Ａ全体をなるべく回動軸３４Ａに近い奥側に配設することができ、原稿とその周囲との境界をある程度原稿押えカバー部４０によって覆われた位置に配設することができる。このため、外部光の大きな影響も排除することができる。
【００６３】
これらのようにすることで、使用を想定される多くの場面で、原稿とその周囲との境界部分を、原稿押えカバー部４０を閉じる途中で原稿押えカバー部４０の押え面から適度に離れるようにすることができ、かつ、原稿押えカバー部４０によってある程度覆われた適切な位置に配設することができる。これにより、原稿押えカバー部４０の押え面及び外部光の影響を適度に排除して、原稿サイズの検出をより正確に行える。
【００６４】
＜５．変形例＞
図５は変形例を示すための平面図である。上記実施形態では、載置原稿読取可能領域３６Ａの読取幅Ｗ１が、搬送原稿読取可能領域３５Ａの読取幅Ｗ２よりも小さく設定された載置原稿読取部を備えた例で説明したが、載置される原稿を、搬送原稿読取可能領域３５Ａの読取幅Ｗ１と略同じ読取幅Ｗ３で読取り可能な略等幅載置原稿読取可能領域１３６Ａを有する別の略等幅載置原稿読取部を設置可能な構成であってもよい。
【００６５】
すなわち、略等幅載置原稿読取部を設置した構成について説明すると、本変形例に係るデジタル複合機１１０では、本体カバー部１３４として上記プラテンガラス取付開口部３４ｂよりも大きいプラテンガラス取付開口部１３４ｂを有するものを用いている。なお、その他の本体カバー部１３４の構成は、上記本体カバー部３４と略同じである。
【００６６】
また、そのプラテンガラス取付開口部１３４ｂに取付けられるプラテンガラス１３６は、コンタクトガラス３５の長手方向に関して該コンタクトガラス３５の長さ寸法と略同じ寸法であり、ここでは、読取装置３８の長さ寸法に対しても略同寸法である。
【００６７】
略等幅載置原稿読取部は、本プラテンガラス１３６と読取装置３８とを含んで構成されている。そして、プラテンガラス１３６とその下方に配設された読取装置３８の移動領域との重複領域が、載置される原稿を読取可能な略等幅載置原稿読取可能領域１３６Ａとして設定される。この略等幅載置原稿読取可能領域１３６Ａの読取幅Ｗ３は搬送原稿読取可能領域３５Ａの読取幅Ｗ２と略同じである。
【００６８】
より具体的には、搬送原稿読取可能領域３５Ａの読取幅Ｗ２がＡ３用紙の短寸幅を読取り可能な寸法に設定されている場合、略等幅載置原稿読取可能領域１３６Ａの読取幅Ｗ３もＡ３（図５の符号Ａ３参照）用紙の短寸幅を読取り可能な寸法に設定される。
【００６９】
また、上記略等幅載置原稿読取可能領域１３６Ａにおける原稿セット基準位置１３７は、回動軸３４Ａ側でかつ搬送原稿読取可能領域３５Ａ側の隅部分に設定されている。また、略等幅載置原稿読取可能領域１３６Ａのうちの回動軸３４Ａ側の部分１３６Ａｅと、搬送原稿読取可能領域３５Ａのうちの回動軸３４Ａ側の部分３５Ａｅとは、回動軸３４Ａから回動軸３４Ａの軸方向と略直交する方向において略等距離の位置に揃えて配設されている。
【００７０】
つまり、本変形例では、本体カバー部３４に代えて、上記実施形態と同様のコンタクトガラス３５及び上記のようなプラテンガラス１３６を備えた本体カバー部１３４が取付け可能とされている。
【００７１】
この場合でも、原稿セット基準位置１３７と回動軸３４Ａとの距離は、回動軸３４Ａの軸方向と略直交する方向において実施形態における原稿セット基準位置３７と回動軸３４Ａとの距離と略同じ位置に配設される。このため、原稿幅判定部６１は上記実施形態の場合と同様の位置を基準にして原稿サイズの検知を行えることになる。このため、原稿サイズ検知に係る構成としては原稿サイズの検知幅の範囲等に多少の変更を加えるだけでほぼ同様の構成で原稿サイズの検知を行えることになり、汎用性に優れる。
【００７２】
見方を変えて説明すると次のようになる。つまり、製造段階において、実施形態で説明したようなコンタクトガラス３５及びプラテンガラス３６を備えた本体カバー部３４と、上記実施形態と同様のコンタクトガラス３５及び上記のようなプラテンガラス１３６を備えた本体カバー部１３４とを準備しておく。そして、前者の本体カバー部３４と後者の本体カバー部１３４とを択一的に選択して、その他の共通部品に対する組付を行うことができる。このため、多くの部品、特に、原稿サイズの検知に係る部品を共通にして、載置原稿の読取りに関して複数の読取幅を有する複数種のデジタル複合機１０，１１０を製造することができることになる。
【００７３】
また、本発明は上記実施の形態及び上記変形例に限定されるものではなくその他様々な変形が可能である。
【００７４】
例えば、上記実施形態及び変形例ではコンタクトガラス３５及びプラテンガラス３６，１３６は共通の部品である本体カバー部３４，１３４に取付けられているが、これらは別々の部品に取付けられていてもよい。
【００７５】
また、原稿サイズの検知は、上記のように読取装置３８を用いて行う必要はなく、サイズ検知専用のセンサを用いて行うようにしてもよい。
【００７６】
また、本実施形態では、画像読取装置を、ＦＡＸ機能、コピー機能、スキャン機能、プリント機能などの諸機能を有するデジタル複合機に適用した例で説明したが、必ずしもこれに制限されない。つまり、本発明は、フラットベッド方式及びシートフィード方式の双方で画像読取可能な諸読取装置に適用し得る。
【図面の簡単な説明】
【００７７】
【図１】実施形態に係るデジタル複合機の全体構成を示す斜視図である。
【図２】同上のデジタル複合機を示す平面図である。
【図３】同上のデジタル複合機を示す側面図である。
【図４】原稿サイズ検知に係る構成を示すブロック図である。
【図５】変形例を示すための平面図である。
【符号の説明】
【００７８】
１０，１１０  デジタル複合機
３４Ａ  回動軸
３５  コンタクトガラス
３５Ａ  搬送原稿読取可能領域
３５Ａｅ  搬送原稿読取可能領域の回動軸側部分
３６，１３６  プラテンガラス
３６Ａ  載置原稿読取可能領域
３６Ａｅ  載置原稿読取可能領域の部分
３７，１３７  原稿セット基準位置
３８  読取装置
３９  受光部
４０  原稿押えカバー部
４５  自動原稿搬送装置
６０  制御部
６１  原稿幅判定部
６４  カバー開閉検知部
１３６Ａ  略等幅載置原稿読取可能領域
Ｗ１  載置原稿読取可能領域の読取幅
Ｗ２  搬送原稿読取可能領域の読取幅
Ｗ３  略等幅載置原稿読取可能領域の読取幅
【図１】
2008040200.tif 000003
【図２】
2008040200.tif 000004
【図３】
2008040200.tif 000005
【図４】
2008040200.tif 000006
【図５】
2008040200.tif 000007